(57)【要約】本発明は、キーボードを受納するキーボードプラットホームと、コンピュータテーブル又は机のような家具に装着される装着組立体とを含む調節式キーボードスタンドに関するものである、装着組立体は、２つの側壁と１つの後壁とを備え、前記側壁と１つの後壁とは、互いに連結され、第１の方向に延びる１つの凹部を形成する。前記調節式キーボードスタンドは、第１及び第２の端部を有する支持部材を更に含み、前記支持部材の前記第１の端部は、前記キーボードプラットホームに結合され、前記支持部材の前記第２の端部は、前記装着部材内の前記凹部内に摺動可能で且つ旋回可能に収納される。前記支持部材と前記キーボードプラットホームとの重みは、前記支持部材の前記第２の端部を前記凹部内から第１の方向に旋回させて、前記支持部材の前記第２の端部が前記凹部の前記後壁に係合するようにすることで、前記支持部材を第１の垂直位置に保持させる。前記支持部材の垂直位置は、前記キーボードプラットホームに対して力を作用させることによって変更可能であり、前記力の作用は、前記支持部材を第２の方向に旋回させて、前記支持部材の前記第２の端部を前記凹部の前記後壁から分離させることにより、前記支持部材の前記第２の端部が前記凹部内において自由に摺動運動できるようになる。
2006522402.tif 000002
【特許請求の範囲】
【請求項１】
調節式キーボード装置において、
キーボードを収納するキーボードプラットホームと、
家具に装着される装着組立体であって、２つの側壁と１つの後壁とを備える装着部材を含み、前記側壁と前記後壁とが、垂直成分を持つ第１の方向に延びる凹部を形成し、前記装着部材には、前記後壁の反対側であって前記側壁間に前記第１の方向に延びる開口が形成された装着組立体と、
第１及び第２の端部を有する支持部材であって、前記支持部材の前記第１の端部は、前記キーボードプラットホームに結合され、前記支持部材の前記第２の端部は、前記装着部材内の前記凹部内に摺動可能で且つ旋回可能に収納され、前記支持部材と前記キーボードプラットホームとの重みは、前記支持部材の前記第２の端部を前記凹部内から第１の方向に旋回させて、前記支持部材の前記第２の端部が前記凹部の前記後壁に係合するように、前記支持部材を第１の垂直位置に保持させ、前記支持部材の垂直位置は、前記キーボードプラットホームに対して力を作用させることによって変更可能であり、前記力の作用は、前記支持部材を第２の方向に旋回させて、前記支持部材の前記第２の端部を前記凹部の前記後壁から分離させることにより、前記支持部材の前記第２の端部が前記凹部内において自在に摺動運動できるようにする、支持部材と、
を含むことを特徴とする調節式キーボード装置。
【請求項２】
前記装着部材の前記側壁は、一対のチャンネルを更に備え、前記支持部材は、前記第２の端部から離隔した複数の突出部を含み、前記突出部は、前記チャンネル内に挿入されて、前記凹部に対して前記支持部材の旋回軸を形成することを特徴とする請求項１に記載の装置。
【請求項３】
前記装着部材の前記凹部内に前記支持部材の前記第２の端部を保持するように、前記装着部材上に設けられる端部キャップを更に含むことを特徴とする請求項１に記載の装置。
【請求項４】
前記装着組立体は、前記装着部材を前記家具に連結させるピボット組立体（ｐｉｖｏｔ  ａｓｓｅｍｂｌｙ）を更に含み、前記ピボット組立体は、前記装着部材及び前記支持部材と前記キーボードプラットホームとの回転運動を可能とすることを特徴とする請求項１に記載の装置。
【請求項５】
前記ピボット組立体は、装着ブラケットとピボット部材とを含み、前記装着ブラケットは、前記家具に取り付けられ、前記ピボット部材は、前記装着ブラケットに回転可能に係合して、その周りに回転できることを特徴とする請求項４に記載の装置。
【請求項６】
前記装着部材は、前記ピボット組立体の前記ピボット部材に取り付けられ、前記装着部材が前記装着ブラケットの周りに回転できるようにすることを特徴とする請求項５に記載の装置。
【請求項７】
前記装着ブラケットは、スロット形成領域を有し、前記ピボット部材は、前記スロット形成領域と摺動可能に係合して、前記ピボット部材が前記装着ブラケットの長さ方向に沿って滑られるようにすることを特徴とする請求項６に記載の装置。
【請求項８】
前記キーボードプラットホームの傾斜角の調節ができるようにする傾斜角調節組立体を更に含むことを特徴とする請求項１に記載の装置。
【請求項９】
前記傾斜角調節組立体は、軸及びバネを含み、前記軸及びバネは、前記キーボードプラットホームと前記支持部材との間でこれらの各々に結合されて、前記傾斜角を形成することを特徴とする請求項８に記載の装置。
【請求項１０】
前記傾斜角調節組立体は、ノブ（Ｋｎｏｂ）を更に含み、前記ノブは、前記軸に螺合され、前記ノブは、前記キーボードプラットホームの前記傾斜角を増加又は減少させるように作動することができることを特徴とする請求項９に記載の装置。
【請求項１１】
前記傾斜角調節組立体は、ノブを更に含み、前記軸の一面には、ラック（ｒａｃｋ）が形成され、前記ノブには、ピニオン（ｐｉｎｉｏｎ）が備えられ、前記ラックと前記ピニオンとは、互いに係合して、前記ノブを回転させることによって、前記キーボードプラットホームの前記傾斜角を増加又は減少させるように作動することができることを特徴とする請求項９に記載の装置。
【請求項１２】
前記バネは、前記キーボードプラットホームと前記支持部材との間に引張力を発生させ、前記引張力は、前記軸に対する前記ノブの位置によって増加又は減少することができることを特徴とする請求項１１に記載の装置。
【請求項１３】
前記装置は、前記支持部材の前記第２の端部に結合され、前記凹部の前記後壁と係合する止め部材を更に含み、前記止め部材は、前記支持部材と一体型に形成されることを特徴とする請求項１に記載の装置。
【請求項１４】
前記装置は、前記支持部材の前記第２の端部に摺動可能に結合され、前記凹部の前記後壁と係合する止め部材を更に含み、前記止め部材は、前記支持部材と分離型に形成されることを特徴とする請求項１に記載の装置。
【請求項１５】
前記支持部材は、前記支持部材の前記第２の端部に近い位置の両側面に結合された一対の案内部材（ｇｕｉｄｅ  ｅａｒ）を含み、前記案内部材の各々は、前記装着部材の左右側壁の内面に形成された一対のチャンネルに沿って導かれるように挿入されることを特徴とする請求項１に記載の装置。
【請求項１６】
前記支持部材は、前記支持部材の前記第２の端部に一体に形成された一対のフィンガー部（ｆｉｎｇｅｒ）を備え、前記装着部材は、前記装着部材の前記後壁の内面に形成されたガイドレールを更に含むことを特徴とする請求項１に記載の装置。
【請求項１７】
前記フィンガー部の各々は傾斜面を備え、前記傾斜面の傾斜角度は、前記装着部材の前記後壁の内面の傾斜角度と等しいことを特徴とする請求項１６に記載の装置。
【請求項１８】
調節式スタンドにおいて、
所定の構造物に取り付けられる装着ブラケットと、
前記装着ブラケットに回転可能に結合され、前記構造物に対して回転できるようにする上部を備える固定部材であって、前記固定部材は、第１の側壁と、第２の側壁と、１つの後壁とを備え、前記第１及び第２の側壁と後壁とは互いに連結されて、内側に凹部を有する本体を形成し、前記第１及び第２の側壁の各々には、少なくとも１つのチャンネルが形成された内面を有する、固定部材と、
キーボード装備を収納する上面と、下面と、を有するプラットホームと、
第１の端部及び第２の端部を有する支持台（ｓｕｐｐｏｒｔ  ａｒｍａｔｕｒｅ）であって、前記第１の端部は、前記プラットホームの前記下面に旋回可能に結合され、前記第２の端部は、前記第２の端部から延びる複数の突出部と前記第２の端部に結合された止め部材とを含み、前記第２の端部は、前記側壁の前記内側の表面に隣接した前記固定部材の内側の前記凹部内に挿入されて、前記複数の突出部が前記チャンネルと旋回可能で且つ摺動可能に連結されることで、前記支持台が前記突出部を中心として旋回して、前記チャンネルの長さ方向に沿って垂直に移動できるようにし、前記止め部材は、前記固定部材の前記後壁と係合したとき、前記支持台の垂直運動を防止し、また、前記止め部材は、前記固定部材の前記後壁から分離されたとき、前記支持台の垂直運動を許容する、支持台と、
を含むことを特徴とする調節式スタンド。
【請求項１９】
前記複数の突出部は、前記支持台の前記第２の端部から離隔され、前記チャンネル内に挿入されて、前記固定部材に対して前記支持台の旋回軸を形成することを特徴とする請求項１８に記載の調節式スタンド。
【請求項２０】
前記固定部材の内側の前記凹部内に前記支持台の前記第２の端部を保持するように、前記固定部材の下部に設けられる端部キャップを更に含むことを特徴とする請求項１８に記載の調節式スタンド。
【請求項２１】
前記装着ブラケットは、長さ方向に沿ってスロット形成領域を含み、前記固定部材の前記上部は、前記スロット形成領域と係合して、前記固定部材が前記装着ブラケットの長さ方向に沿って滑られるようにすることを特徴とする請求項１８に記載の調節式スタンド。
【請求項２２】
前記プラットホームの傾斜角の調節を可能とする傾斜角調節組立体を更に含むことを特徴とする請求項１８に記載の調節式スタンド。
【請求項２３】
前記傾斜角調節組立体は、軸及びバネを含み、前記軸及びバネは、前記キーボードプラットホームと前記支持台との間でこれらの各々に結合されて、前記傾斜角を形成することを特徴とする請求項２２に記載の調節式スタンド。
【請求項２４】
前記傾斜角調節組立体は、ノブを更に含み、前記ノブは前記軸に螺合され、前記ノブは、前記プラットホームの前記傾斜角を増加又は減少させるように作動することができることを特徴とする請求項２３に記載の調節式スタンド。
【請求項２５】
前記傾斜角調節組立体は、ノブを更に含み、前記軸の一面にはラックが形成され、前記ノブにはピニオンが備えられ、前記ラックと前記ピニオンとは互いに係合して、前記ノブを回転させることによって、前記キーボードプラットホームの前記傾斜角を増加又は減少させるように作動することができることを特徴とする請求項２３に記載の調節式スタンド。
【請求項２６】
前記バネは、前記プラットホームと前記支持台との間に引張力を発生させ、前記引張力は、前記軸に対する前記ノブの位置によって増加又は減少することができることを特徴とする請求項２３に記載の調節式スタンド。
【請求項２７】
前記固定部材の前記本体は、前記上部に傾斜して結合されたことを特徴とする請求項１８に記載の調節式スタンド。
【請求項２８】
前記止め部材は、前記支持台に永久的に結合されるように、前記支持台と一体に形成されることを特徴とする請求項１８に記載の調節式スタンド。
【請求項２９】
前記止め部材は、前記支持台と分離型に形成され、前記止め部材は、前記支持台から分離可能で且つ前記支持台の第２の端部に摺動可能に結合されたことを特徴とする請求項１８に記載の調節式スタンド。
【請求項３０】
前記支持部材は、前記支持部材の前記第２の端部に近い位置の両側面に結合された一対の案内部材を含み、前記案内部材の各々は、前記固定部材の左右側壁の内面に形成された一対のチャンネルに沿って導かれるように挿入されることを特徴とする請求項１８に記載の調節式スタンド。
【請求項３１】
前記支持部材は、前記第２の端部に一体に形成された一対のフィンガー部を備え、前記固定部材は、前記後壁の内面に形成されたガイドレールを更に含むことを特徴とする請求項１８に記載の調節式スタンド。
【請求項３２】
前記フィンガー部の各々は傾斜面を備え、前記傾斜面の傾斜角度は、前記固定部材の前記後壁の内面の傾斜角と等しいことを特徴とする請求項３１に記載の調節式スタンド。
【請求項３３】
調節式キーボードスタンドにおいて、
キーボードを収納する上面と、第１の装着ブラケットが取り付けられた下面とを有するプラットホームと、
前記プラットホームの前記第１の装着ブラケットに旋回可能に装着された第１の端部と、複数の突出部が形成された第２の端部とを有する第１の支持体と、
軸及びバネを含み、前記軸及びバネは、前記プラットホームと前記第１の支持体との間でこれらの各々に結合されて、傾斜角を形成する傾斜角調節組立体と、
後壁と一緒に互いに連結され、内部に凹部が形成された本体を形成する複数の側壁を備える第２の支持体であって、前記側壁は、スロット形成チャンネルを含み、前記スロット形成チャンネルは、前記本体の長さ方向に沿って延び、且つ、前記第１の支持体の前記第１及び第２の突出部を収納して、前記凹部内に前記第１の支持体の前記第２の端部が位置したとき、前記第１及び第２の突出部と旋回可能で且つ摺動可能に係合して、前記第２の支持体は、上側装着面を有する頭部（ｈｅａｄ  ｓｅｃｔｉｏｎ）を備える第２の支持体と、
前記上側装着面を収納しそれに結合される第１の面と、家具に取り付けられそれに堅固に固定される第２の面とを有する第３の支持体と、を含むことを特徴とする調節式キーボードスタンド。
【請求項３４】
前記複数の突出部は、前記第１の支持体の前記第２の端部から離隔され、前記スロット形成チャンネル内に挿入されて、前記第２の支持体に対して前記第１の支持体のための旋回軸を形成することを特徴とする請求項３３に記載の調節式キーボードスタンド。
【請求項３５】
前記第２の支持体の前記凹部内に前記第１の支持体の前記第２の端部を保持するように、前記第２の支持体の下部に設けられる端部キャップを更に含むことを特徴とする請求項３３に記載の調節式キーボードスタンド。
【請求項３６】
前記第３の支持体は、前記第１の面の長さ方向に沿って形成されたスロット形成領域を含み、前記第２の支持体の前記頭部は、前記スロット形成領域と摺動可能に係合して、前記第２の支持体が前記第３の支持体の長さ方向に沿って滑られるようにすることを特徴とする請求項３３に記載の調節式キーボードスタンド。
【請求項３７】
前記傾斜角調節組立体は、ノブを更に含み、前記ノブは前記軸に螺合され、前記ノブは、前記プラットホームの前記傾斜角を増加又は減少させるように作動することができることを特徴とする請求項３３に記載の調節式キーボードスタンド。
【請求項３８】
前記傾斜角調節組立体は、ノブを更に含み、前記軸の一面にはラックが形成され、前記ノブにはピニオンが備えられ、前記ラックと前記ピニオンとは互いに係合して、前記ノブを回転させることによって、前記キーボードプラットホームの前記傾斜角を増加又は減少させるように作動することができることを特徴とする請求項３３に記載の調節式キーボードスタンド。
【請求項３９】
前記バネは、前記プラットホームと前記第１の支持体との間に引張力を発生させ、前記引張力は、前記軸に対する前記ノブの位置によって増加又は減少することができることを特徴とする請求項３３に記載の調節式キーボードスタンド。
【請求項４０】
前記第１の支持体は、前記第２の端部に一体型に形成された止め部材を更に含み、前記止め部材は、前記第１の支持体が前記第２の支持体の前記凹部内で旋回するとき、前記凹部の前記後壁と係合して、前記第２の支持体に対する前記第１の支持体の垂直運動を防止することを特徴とする請求項３３に記載の調節式キーボードスタンド。
【請求項４１】
前記第１の支持体は、前記第１の支持体の前記第２の端部に分離型に摺動可能に結合された止め部材を更に含み、前記止め部材は、前記第１の支持体が前記第２の支持体の前記凹部内で旋回するとき、前記凹部の前記後壁と係合して、前記第２の支持体に対する前記第１の支持体の垂直運動を防止することを特徴とする請求項３３に記載の調節式キーボードスタンド。
【請求項４２】
前記第１の支持体は、前記第２の端部に近い位置の両側面に結合された一対の案内部材を含み、前記案内部材の各々は、前記第２の支持体の左右側壁の内面に形成された一対のチャンネルに沿って導かれるように挿入されることを特徴とする請求項３３に記載の調節式キーボードスタンド。
【請求項４３】
前記第１の支持体は、前記第２の端部に一体に形成された一対のフィンガー部を備え、前記第２の支持体は、前記後壁の内面に形成されたガイドレールを更に含むことを特徴とする請求項３３に記載の調節式キーボードスタンド。
【請求項４４】
前記フィンガー部の各々は傾斜面を備え、前記傾斜面の傾斜角度は、前記第２の支持体の前記後壁の内面の傾斜角と等しいことを特徴とする請求項４３に記載の調節式キーボードスタンド。
【請求項４５】
調節式キーボード装置において、
キーボードを収納するキーボードプラットホームと、
家具に装着される装着組立体であって、２つの側壁と１つの後壁とを備える固定部材を含み、前記側壁と１つの後壁とは互いに結合され、前記固定部材の長さ方向に沿って延びる１つの凹部を形成し、前記固定部材には、前記後壁の反対側であって前記側壁間に配置され、前記固定部材の前記長さ方向に延びる開口が形成された、装着組立体と、
第１及び第２の端部を有する支持部材であって、前記支持部材の前記第１の端部は、前記キーボードプラットホームに旋回可能に結合され、前記支持部材の前記第２の端部は、前記開口を通じて前記固定部材の前記凹部内に挿入され、前記固定部材の長さ方向に沿って連続的に移動できる、支持部材と、
を含むことを特徴とする調節式キーボード装置。
【請求項４６】
前記支持部材の前記第２の端部は、前記固定部材の前記凹部内に旋回可能に収納されることを特徴とする請求項４５に記載の調節式キーボード装置。
【請求項４７】
前記支持部材と前記キーボードプラットホームとの重みは、前記支持部材の前記第２の端部を前記固定部材の前記凹部内から第１の方向に旋回させ、前記支持部材の前記第２の端部が前記凹部の前記後壁に係合するようにすることで、前記支持部材を第１の垂直位置に保持させることを特徴とする請求項４６に記載の調節式キーボード装置。
【請求項４８】
前記支持部材の垂直位置は、前記キーボードプラットホームに対して力を作用させることによって変更可能であり、前記力の作用は、前記支持部材を第２の方向に旋回させて、前記支持部材の前記第２の端部を前記凹部の前記後壁から分離させることにより、前記支持部材の前記第２の端部が前記凹部内において自在に摺動運動できるようにすることを特徴とする請求項４７に記載の調節式キーボード装置。
【請求項４９】
前記支持部材は、前記支持部材の前記第２の端部に結合された止め部材を更に含み、前記止め部材は、前記支持部材と前記キーボードプラットホームとの重みが、前記支持部材の前記第２の端部を前記固定部材の前記凹部内から第１の方向に旋回させるとき、前記凹部の前記後壁と係合することを特徴とする請求項４８に記載の調節式キーボード装置。
【請求項５０】
前記止め部材は、前記支持部材の前記第２の端部と一体に形成された一部分であることを特徴とする請求項４９に記載の調節式キーボード装置。
【発明の詳細な説明】
【技術分野】
【０００１】
本発明は、支持組立体に関し、特に、調節式キーボードスタンドに関する。
【背景技術】
【０００２】
事務環境において、ワードプロセッシング（Ｗｏｒｄ  ｐｒｏｃｅｓｓｉｎｇ）のような毎日の事務作業にコンピュータが用いられることが通常であり、データの入力手段としては、コンピュータに情報を入力するためのキーボードの利用が含まれる。従来の机やテーブルは、キーボードを人体工学的に配置するには、高い場合が多い。一部の事務室では、コンピュータ向きに特別に設計された机やテーブルを購入する傾向があり、この場合、事業経営に関連する総コストが増加してしまう。このようなコストを低減するための好ましい代案として、キーボードトレー（ｔｒａｙ）またはスタンド（ｓｔａｎｄ）が考えられる。一部のキーボードスタンドは、使用者によって高さの調節ができるものもある。
【０００３】
一部従来の調節式キーボードスタンドは、その調節のために、不連続部材を用いる。例えば、米国特許第５，６９２，７１２号に開示されている調節式キーボードプラットホームは、相対的に大きな装着柱に取り付けられ、前記装着柱の強固な角部には、装着柱の長さ方向に沿って不連続的に配置された鋸歯状の歯が形成される。プラットホーム支持台（ａｒｍａｔｕｒｅ）が鋸歯状の歯に係合して、高さの調節を可能とする。しかしながら、不幸にも、前記従来の装着柱は、高さの調節に際して、その作動が不便で操作しにくいことがある。例えば、操作中に、プラットホーム支持台が容易に捻られて、プラットホーム支持台の一側が、他側に比べてより高い鋸歯状の歯に係合することがある。この場合、キーボードプラットホームは傾くようになって、使用者を不便にする。また、操作の間、プラットホームを水平に合わせようと努力することと、鋸歯状の歯を整列させる作業自体とが、一部の使用者にとっては難しい事であるという点から、前記高さ調節の作業は、不便なことがある。
【０００４】
他の従来のキーボードスタンドにおいても、ネジとボルトのような、様々な異なる組立機構を採択しているが、これらにおいても、底部から所定の高さにスタンドを調節するために、且つ、個々の使用者の趣向によってキーボードの傾斜角を調節するためには、通常、前記組立機構を上手に操作しなければならない。しかしながら、通常、このような固定部材（ｆａｓｔｅｎｅｒｓ）は、その操作が難しく、これにより、調節作業をややこしくしてしまう。米国特許第５，２１１，３６７号は、キーボードプラットホームの調節のこのようなややこしい作業について開示している。開示されているように、プラットホーム支持台は、多くのジョイントを備え、各々のジョイントは、多数のロック部材を有し、このロック部材は、キーボードトレーの高さ又は方向を調節するためには、テーブルの下部から予め分離しなければならない。不幸にも、前記調節式キーボードトレーは、その使用又は作動が不便であり、その理由は、使用者がテーブルの下へ腰を屈めて入ってロック部材を分離してから、キーボードトレーを掴んだ状態で、再び席に座って適切な高さ又は方向を調節し、それから、再びテーブルの下へ腰を屈めて入って、キーボードトレーを掴んで適切な位置に保持した状態でロック部材を再結合しなければならないからである。その結果、この調節式プラットホームは、多くの人間にとって、その利用又は作動が不便なものである。
【発明の開示】
【発明が解決しようとする課題】
【０００５】
それで、前述した記載から明らかなように、手軽く調節可能でかつ作動が便利な、改善されたキーボードスタンドに対する必要性が現存する。このために、使用者等により容易に操作可能なキーボードプラットホームのためのもっと便利な高さ調節機構に対する必要性も現存する。
【課題を解決するための手段】
【０００６】
前述したような必要性を満たすために、本発明が提供する調節式キーボード装置は、キーボードを収納するキーボードプラットホームと家具に装着される装着組立体とを含み、前記装着組立体は、２つの側壁と１つの後壁とを備える装着部材を含み、前記側壁と１つの後壁とは、垂直成分を持つ第１の方向に延びる１つの凹部を形成し、前記装着部材には、前記後壁の反対側であって前記側壁間に前記第１の方向に延びる開口が形成される。
【０００７】
本発明の一実施形態によれば、前記調節式キーボード装置は、第１及び第２の端部を有する支持部材を更に備え、前記支持部材の前記第１の端部は、前記キーボードプラットホームに結合され、前記支持部材の前記第２の端部は、前記装着部材内の前記凹部内に摺動可能で且つ旋回可能に収納され、前記支持部材と前記キーボードプラットホームとの重みは、前記支持部材の前記第２の端部を前記凹部内から第１の方向に旋回させて、前記支持部材の前記第２の端部が前記凹部の前記後壁に係合するようにすることで、前記支持部材を第１の垂直位置に保持させ、前記支持部材の垂直位置は、前記キーボードプラットホームに対して力を作用させることによって変更可能であり、前記力の作用は、前記支持部材を第２の方向に旋回させて、前記支持部材の前記第２の端部を前記凹部の前記後壁から分離させることにより、前記支持部材の前記第２の端部が前記凹部内において自由に摺動運動できるようになる。
【０００８】
本発明の他の一実施形態によれば、前記装着部材の前記側壁は、一対のチャンネルを更に備え、前記支持部材は、前記第２の端部から離隔した複数の突出部を含み、前記突出部は、前記チャンネルら内に挿入されて、前記凹部に対して前記支持部材の旋回軸を形成する。前記調節式キーボード装置は、前記キーボードプラットホームの傾斜角の調節ができるようにする傾斜角調節組立体を更に含む。前記傾斜角調節組立体は、軸及びバネを含み、前記軸及びバネは、前記キーボードプラットホームと前記支持部材との間でこれらの各々に結合されて、前記傾斜角を形成する。前記傾斜角調節組立体は、ノブを更に含むことができ、前記ノブは、前記軸に螺合され、前記ノブは、前記キーボードプラットホームの前記傾斜角を増加又は減少させるように作動することができる。また、前記バネは、前記キーボードプラットホームと前記支持部材との間に引張力を発生させ、前記引張力は、前記軸に対する前記ノブの位置によって増加又は減少することができる。
【０００９】
前述したような必要性を満たすために、本発明が提供する調節式スタンドは、所定の構造物に取り付けられる装着ブラケットと、前記装着ブラケットに回転可能に結合され、前記構造物に対して回転できるようにする上部を備える固定部材を含み、前記固定部材は、第１の側壁と、第２の側壁と、１つの後壁とを備え、前記第１及び第２の側壁と後壁とは互いに連結されて、内側に凹部を有する本体を形成し、前記第１及び第２の側壁の各々は、少なくとも１つのチャンネルが形成された内面を有する。前記調節式スタンドは、キーボード装備を収納する上面と下面とを有するプラットホームを含むことができる。
【００１０】
前記調節式スタンドは、第１の端部及び第２の端部を有する支持台（ｓｕｐｐｏｒｔ  ａｒｍａｔｕｒｅ）を含むことができ、前記第１の端部は、前記プラットホームの前記下面に旋回可能に結合され、前記第２の端部は、前記第２の端部から延びる複数の突出部と前記第２の端部に結合された止め部材とを含み、前記第２の端部は、前記側壁の前記内側の表面に隣接して前記固定部材の内側の前記凹部内に挿入されて、前記複数の突出部が前記チャンネルと旋回可能で且つ摺動可能に連結されることで、前記支持台が前記突出部を中心として旋回して前記チャンネルの長さ方向に沿って垂直に移動できるようにし、前記止め部材は、前記固定部材の前記後壁と係合したとき、前記支持台の垂直運動を防止し、また前記止め部材は、前記固定部材の前記後壁から分離されたとき、前記支持台の垂直運動を許容する。
【００１１】
本発明の上記及びその他の目的及び長所は、添付の図面を参照した以下の説明から、より一層明らかに理解できるはずである。
【発明を実施するための最良の形態】
【００１２】
以下、同一の構成部材に対しては、同一の番号を付して、添付の図面を参照して説明する。ユーザに容易に調節可能な改良されたキーボードスタンドについて、図面を参照し以下に説明する。
【００１３】
図１に一実施形態として示している調節式キーボードスタンド１００は、プラットホーム部材１０２と、支持部材１０４と、傾斜部材１０６と、本体１５５と上部ヘッド構造体１５７とを有する固定部材１０８と、装着部材１１０と、を含む。
【００１４】
図１に示されたように、調節式キーボードスタンド１００は、後により詳述される、テーブル又は机のような家具１１５の下部に固着されるに適するようになっている。また、支持部材１０４と一緒にプラットホーム部材１０２は、固定部材１０８の長さ方向に沿って連続的に調節可能になっており、その調節方式については、以下で、より詳述することにする。
【００１５】
本発明の一実施形態によれば、プラットホーム部材１０２は、平坦な上面及び下面１２０ａ、１２０ｂを有し、ほぼ長方形の形状を有する。プラットホーム部材１０２の下面１２０ｂは、Ｕ−型ブラケット１２４及び１つ以上のボルト１２６を介して支持部材１０４に旋回可能に結合される。Ｕ−型ブラケット１２４は、ネジのような固定部材を用いて、公知の方法で、プラットホーム部材１０２の下面１２０ｂに固着される。また、Ｕ−型ブラケット１２４は、１つ以上のボルト１２６を用いて支持部材１０４の第１の端部１３０ａに旋回可能に連結され、前記ボルト１２６は、旋回中心の連結点（ｐｉｖｏｔ  ｊｕｎｃｔｕｒｅ）として機能して、プラットホーム部材１０２が、前記ボルト１２６を中心として、容易に支持部材１０４に対して相対回転できるようにする。
【００１６】
プラットホーム部材１０２は、様々な形態のコンピュータや音楽装備等に使用されるようなキーボード又はキーボード装備１１７を収納可能に変形できることは言うまでもない。本発明の一実施形態において、プラットホーム部材１０２は、木、プラスチック、金属等のような剛性が強い材料を備え、キーボード又はキーボード装備１１７の重みを支持できる強固なプラットホーム表面を提供する。
【００１７】
本発明の一実施形態においては、図１に示されたように、傾斜部材１０６は、軸１４０及びバネ１４２を含み、これらは、プラットホーム部材１０２の後部１２８と支持部材１０４の中央部１３０ｃとの間を互いに連結する。軸１４０は、バネ１４２の中央に配置され、バネ１４２が軸１４２の周りを巻き取る形態に配置される。また、軸１４０は、プラットホーム部材１０２に公知の方法で連結され、このとき、バネ１４２は、プラットホーム部材１０２の下面１２０ｂに接するようになる。また、軸１４０は、支持部材１０６を貫通して延び、バネ１４２は、支持部材１０４の上面１３２ａに接する。本実施形態において、傾斜部材１０６は、偏向バネ力を提供して、プラットホーム部材１０２の後部１２８と支持部材１０４の中央部１３０ｃとの間に引張力を提供する。
【００１８】
更に、図１に示されたように、傾斜部材１０６は、ノブ１４４を更に備え、このノブ１４４は、上方又は下方にネジ移動可能に軸１４０にネジ係合され、支持部材１０４の下面１３２ｂに接しながら、バネ１４２の引張力に対抗してプラットホーム部材１０２の傾斜角１４６を調節できるようになっている。前記バネ１４２は、プラットホーム部材１０２と支持部材１０４との間に引張力を発生させ、前記引張力は、軸１４０に対するノブ１４４の位置によって増加又は減少できる。傾斜部材１０６は、プラットホーム部材１０２の傾斜角１４６を調整できるようにする。本実施形態において、傾斜角１４６は、プラットホーム部材１０２と支持部材１０４との間に形成される角であり、また、傾斜角１４６の頂点もプラットホーム部材１０２と支持部材１０４との間の旋回中心の連結点に形成される。便利にも、ノブ１２８を手軽く回転させることで、支持部材１０４に対するプラットホーム部材１０２の傾斜角１４６が調整できる。
【００１９】
本発明の一実施形態において、支持部材１０４は、固定部材１０８に摺動可能に結合されるように構成され、その内容については、以下に詳述することにする。また、固定部材１０８は、装着部材１１０に摺動可能で且つ回転可能に結合されるように構成され、その内容についても、以下に詳述することにする。また、装着部材１１０は、テーブル又は机のような家具１１５に固着されるように構成される。固定部材１０８及び装着部材１１０の範囲と機能とについて、図２を参照して、以下、より詳しく説明する。
【００２０】
図２は、図１の調節式キーボードスタンド１００の分離斜視図である。本発明の一実施形態によれば、支持部材１０４は、第１及び第２の突出部１３４ａ、１３４ｂを備え、これらは、支持部材１０４の第２の端部１３０ｂから外側方向にほぼ直角に延びて旋回軸（ｐｉｖｏｔ  ａｘｉｓ）を形成する。旋回軸は、支持部材１０４が固定部材１０８に対し旋回できるようにし、これについて、以下により詳しく説明する。
【００２１】
また、支持部材１０４は、止め部材１３６を更に含み、止め部材１３６は、支持部材１０４の第２の端部１３０ｂに取り付けられ、突出部１３４ａ、１３４ｂに隣接して配置される。止め部材１３６には、第１及び第２の孔１３８ａ、１３８ｂが形成され、第１及び第２の孔１３８ａ、１３８ｂは各々、第１及び第２の突出部１３４ａ、１３４ｂを収納可能なように構成され、また、止め部材１３６が支持部材１０４の第２の端部１３０ｂに結合できるようにする。また、止め部材１３６は、以下で説明されるような方法により固定部材１０８に係合される傾斜端１４８を更に含む。
【００２２】
図２においては、止め部材１３６は、たとえ、別の部品として示されているが、本発明の思想の範囲から逸脱することなく、止め部材１３６が、支持部材１０４と一体になった一部分として形成できることも理解できるはずである。あるいは、止め部材１３６が、支持部材１０４とは別の部品で形成されても、ゴムのような高い摩擦係数を持つ可撓性材料を含むことができ、その理由については、以下に詳述する。また、本発明の一実施形態において、止め部材１３６は、ネジやボルトのような結合部材やエポキシ又はにかわのような様々な形態の公知の接着剤を用いて、支持部材１０４の第２の端部１３０ｂに永久付着することもできる。また、他の一実施形態によれば、止め部材１３６は、支持部材１０４の第２の端部１３０ｂに摺動可能に取り付けられ、直ちに分離可能なように構成されることもできる。
【００２３】
また、固定部材１０８は、第１及び第２の側壁１７０ａ、１７０ｂと後壁１７２とを含み、これらは互いに結合され、支持構造体１０８の本体１５５と、その内部の凹部１６０と、を形成し、凹部１６０は、第１の方向１７４ａに延びて形成される。固定部材１０８は、更に固定部材１０８の長さ方向に沿って延び、凹部１６０内に第１及び第２の内部チャンネル１６２ａ、１６２ｂを含む。固定部材１０８は、後壁１７０の反対側に、凹部１６０へのアクセスを許容する開口１７６を含む。本発明の一実施形態において、支持部材１０４の第２の端部１３０ｂは、図１に示されたように、固定部材１０８に形成された開口１７６を通じて凹部１６０内に介挿され、したがって、支持部材１０４の第１及び第２の突出部１３４ａ、１３４ｂは、第１及び第２の内部チャンネル１６２ａ、１６２ｂのそれぞれと摺動係合する。
【００２４】
便利にも、支持部材１０４は、内部チャンネルに沿って固定部材１０８の長さ方向に垂直に摺動することで、調節式キーボードスタンド１００が装着される家具１１５に対するプラットホーム部材１０２の相対垂直運動を可能とする。また、支持部材１０４は、内部チャンネル１６２ａ、１６２ｂに対して、運動の垂直範囲に沿って連続的に調整されることができる。
【００２５】
また、突出部１３４ａ、１３４ｂの円形または円筒形の形状は、支持部材１０４が、第１の旋回方向１８０、または、第１の旋回方向１８０に反対の第２の旋回方向１８２に旋回できるようにする。第１及び第２の突出部１３４ａ、１３４ｂ、第１及び第２の内部チャンネル１６２ａ、１６２ｂの各々に係合したとき、旋回軸を形成する。支持部材１０４が固定部材１０８の凹部１６０内に位置したとき、支持部材１０４は、旋回軸を中心として第１の旋回方向１８０に旋回して、止め部材１３６の傾斜端１４８が、固定部材１０８の後壁１７２に接するようにすることができる。同様に、支持部材１０４は、旋回軸を中心として第２の旋回方向１８２に旋回して、止め部材１３６が、固定部材１０８の後壁１７２から離れるようにすることができる。
【００２６】
本発明の一実施形態においては、固定部材１０８は、固定部材１０８の下側開口１６６に結合されるように構成された下端キャップ構造体１６４を更に含む。好ましくは、下端キャップ構造体１６４は、固定部材１０８に結合され、支持構造体１０４の第２の端部１３０ｂを固定部材１０８の凹部１６０内に保持し、したがって、支持構造体１０４が固定部材１０８から離脱することを防止する。また、下端キャップ構造体１６４は、支持構造体１０８内に形成された開口１７６の少なくとも一部の内側に延びるリップ状の部材１６８を含む。
【００２７】
本発明の一実施形態においては、装着部材１１０は、装着部材１１０内に形成された、孔１５０を通じて挿通されるネジ又はボルトのような固定部材１５２を用いて、家具１１５の下部に装着可能なように構成される。図２に示されたように、装着部材１１０は、装着部材１１０の長さ方向に沿って内側のスロット形成領域１５６を形成するリップ状の構造体１５４を備える。延長ナット１７８ａが取り付けられた第１の長方形板１５８ａが、前記スロット形成領域１５６の内側に摺動可能に配置される。本発明の一実施形態においては、第１の長方形板１５８ａは、装着部材１１０の前記スロット形成領域１５６の内側に位置したとき、装着部材１１０の長さ方向に沿って第１の方向１７４ａ、または、第１の方向１７４ａに反対の第２の方向１７４ｂに摺動できる。第２の長方形板１５８ｂは、締め付けワッシャー１７８ｂにより公知の方法で延長ナット１７８ａに結合される。第２の長方形板１５８ｂは、装着部材１１０のスロット形成領域１５６の外側に配置され、固定部材が装着される装着面１８６を提供する。
【００２８】
また、固定部材１０８の上部ヘッド構造体１５７は、ボルトとナットのような固定部材１９６を介して第２の長方形板１５８ｂの装着面１８６に装着される。図２に示されたように、上部ヘッド構造体１５７の位置配向は、支持構造体１０８の本体１５５に対して傾斜している。しかも、図２に示されたように、上部ヘッド構造体１５７の位置配向は、第２の長方形板１８６と一致整列される。図１に示されたように、支持構造体１０８は、上部ヘッド構造体１５７が装着部材１１０と一致整列され、本体１５５がプラットホーム部材１０２に対して傾斜する形態で、装着部材１１０に結合される。好ましくは、上部ヘッド構造体１５７に対する本体１５５の前記のような位置配向は、調節式キーボードスタンド１００を用いる、座っている個人の脚のために、より多くの空間を許容することができる。このような理由から、本発明の調節式キーボードスタンドは、使用者により大きな便宜を提供する。
【００２９】
好ましくても、固定部材１０８は、第２の長方形板１５８ｂ及び延長ナット１７８ａを介して第１の長方形板１５８ａに結合されたとき、スロット形成領域１５６を通じて装着部材１１０の長さ方向に沿って摺動する。これによって、プラットホーム部材１０２が、支持部材１０４及び固定部材１０８を介して装着部材１１０に結合され、装着部材１１０は、家具に結合されたとき、プラットホーム部材１０２が、第１及び第２の方向１７４ａ、１７４ｂをもって、家具１１５に向かったり、あるいは、それから離れる方向に移動できるようになる。また、これによって、プラットホーム部材１０２は、家具に対してより多くの運動の自由度を持つことができるようになる。
【００３０】
本発明の一実施形態において、延長ナット１７８ａは、第１又は第２の長方形板１５８ａ、１５８ｂを中心としてに回転可能であり、したがって、固定部材１０８が装着部材１１０に装着されたとき、固定部材１０８は、第１の回転方向１９８ａ、または、第１の回転方向１９８ａに反対の第２の回転方向１９８ｂに手軽く回転することができる。好ましくても、このような構成は、プラットホーム部材１０２が、支持部材１０４を介して固定部材１０８に連結されたとき、プラットホーム部材１０２が、より多くの運動自由度を持つことができるようにする。
【００３１】
図３及び４のそれぞれには、図１及び２に図示された調節式キーボードスタンド１００の側面図が示された。作動において、支持部材１０４の第１及び第２の突出部１３４ａ、１３４ｂは、固定部材１０８の第１及び第２のチャンネル１６２ａ、１６２ｂ内に配置され、支持部材１０４が、固定部材１０８の長さ方向、又は、垂直方向に沿って高さ調節ができるようにする。本発明の一実施形態においては、プラットホーム部材１０２上に配置されたキーボード１１７の重みを含むプラットホーム部材１０２の重みは、止め部材１３６が、固定部材１０８内に形成された凹部１６０の後壁１７２に係合できるように誘導する。
【００３２】
図３に示されたように、本発明の一側面においては、キーボード１１７の重みを含むプラットホーム部材１０２の重みは、支持部材１０４が、第１の旋回方向１８０に回転するように誘導して、止め部材１３６を凹部１６０の後壁１７２に対して付勢し、それにより、プラットホーム部材１０２が第１の垂直方向１９０に移動することを防止するようになる。好ましくは、止め部材１３６は、止め部材１３６が固定部材１０８の後壁に接したとき、支持部材１０４の摺動を防止する高度の摩擦性材料を含む。
【００３３】
逆に、図４に示されたように、プラットホーム部材１０２を、第１の垂直方向１９０、または、第１の垂直方向１９０の逆方向である第２の垂直方向１９２に移動させるためには、使用者は、単にプラットホーム部材１０２を移動させて、支持部材１０４が第２の旋回方向１８２に旋回するようにすることで、止め部材１３６を固定部材１０８の後壁１７２から分離させると良い。好ましくても、このような旋回動作は、プラットホーム部材１０２を、固定部材１０４の長さ方向に沿って多数の所望する位置に手軽く上昇又は下降させることができるようにする。
【００３４】
図５から図７には、本発明の他の一実施形態に係る調節式キーボードスタンド２００が示されている。本実施形態に係る調節式キーボードスタンド２００は、前述した実施形態に係る調節式キーボードスタンド１００と一部を除いて殆ど同様の構成を有し、以下では、その相違点についてのみ説明することにする。
【００３５】
図５から図７に示されたように、本実施形態に係る調節式キーボードスタンド２００もまた、プラットホーム部材１０２と、支持部材１０４と、傾斜部材１０６と、本体１５５と上部ヘッド構造体１５７とを有する固定部材１０８と、装着部材１１０とを含む。
【００３６】
プラットホーム部材１０２は、前述した実施形態でと同様に、平坦な上面及び下面１２０ａ、１２０ｂを有し、ほぼ長方形の形状を有する。プラットホーム部材１０２の下面１２０ｂには、Ｕ−型ブラケット１２４の代りに、一対の互いに分離されたブラケット２２４が固定される。ブラケット２２４の各々には、第１のピンホール（ｆｉｒｓｔ  ｐｉｎ  ｈｏｌｅ）２２４ａが形成され、第１のピンホール２２４ａには、後述の如く、支持部材１０４の第１のピボットピン２２６が回転可能に挿通されて、支持部材１０４とプラットホーム部材１０２とを回転可能に連結させる。
【００３７】
前述した実施形態でと同様に、傾斜部材１０６は、軸１４０及びバネ１４２を含み、これらは、プラットホーム部材１０２の後部１２８と支持部材１０４の中央部１３０ｃとの間を互いに結合する。但し、本実施形態においては、軸１４０は、その下端部に、互いに分離された一対のスナップフック（ｓｎａｐ  ｈｏｏｋ）２４１を備える。スナップフック２４１は、ノブ１４４の内部に挿入されるとき、その挿入を容易にするだけでなく、一旦挿入された後には、軸１４０とノブ１４４との分離を防止する。傾斜部材１０６のその他の構成は、前述した実施形態のものと同一である。
【００３８】
本実施形態においては、支持部材１０４は、第１及び第２の突出部１３４ａ、１３４ｂを備える代わりに、第２の端部１３０ｂに近い位置の両側面に一対の第２のピボットピン２３３を備え、このピボットピン２３３の各々は、案内部材２３２（ｇｕｉｄｅ  ｅａｒ；耳型案内）に形成された第２のピンホール２３２ａに嵌め込まれる。換言すれば、一対の案内部材２３２が、支持部材１０４の第２の端部１３０ｂに近い位置の両側面に結合される。
【００３９】
また、本実施形態においては、支持部材１０４は、第２の端部１３０ｂに結合される止め部材１３６を備える代わりに、第２の端部１３０ｂに一体に形成された一対のフィンガー部２３１を備える。それぞれのフィンガー部２３１は傾斜面２４８を備え、この傾斜面２４８の傾斜角度は、好ましくは、固定部材１０８の後壁１７２の内面の傾斜角度、または、その内面に形成されたガイドレール２６３の傾斜角度と等しい。これについては、後述する。
【００４０】
また、前述した実施形態と同様に、固定部材１０８は、第１及び第２の側壁１７０ａ、１７０ｂと後壁１７２とを含み、第１及び第２の側壁１７０ａ、１７０ｂの内面に、固定部材１０８の長さ方向に沿って延びる第１及び第２の内部チャンネル１６２ａ、１６２ｂが形成される。但し、本実施形態においては、図６及び図７から明らかなように、後壁１７２の内面に、ガイドレール２６３が形成される。
【００４１】
第１及び第２の内部チャンネル１６２ａ、１６２ｂ内には、前記案内部材２３２がそれぞれ摺動可能に挿入されて、そのチャンネルの長さ方向に沿って案内され、後壁１７２の内面に形成されたガイドレール２６３は、前記一対のフィンガー部２３１間に挟まれて、フィンガー部２３１がガイドレール２６３に沿って導かれるようにする。以上のような、チャンネル１６２ａ、１６２ｂと案内部材２３２との間の摺動係合、及び、ガイドレール２６３とフィンガー部２３１との間の摺動係合を通じて、支持部材１０４が、固定部材１０８の長さ方向に沿ってより安定して移動し、案内されて、支持されるようにする。
【００４２】
以上で説明した構成を除いた他の部分は、本実施形態は、前述した実施形態でと同様の構成を有する。このような構成を有した本実施形態の調節式キーボードスタンド２００の作動について、以下で説明する。
【００４３】
本実施形態に係る調節式キーボードスタンド２００の作動においても前述した実施形態の場合とほぼ同様である。ただし、支持部材１０４の第２の端部１３０ｂに近い位置の両側面に結合された一対の案内部材２３２が、第１及び第２の内部チャンネル１６２ａ、１６２ｂ内に摺動可能に係合され、後壁１７２の内面に形成されたガイドレール２６３は、前記一対のフィンガー部２３１間に挟まれる。このとき、プラットホーム部材１０２上に配置されたキーボード１１７の重みを含むプラットホーム部材１０２の重みは、フィンガー部２３１が、固定部材１０８内に形成された凹部１６０の後壁１７２に係合できるようにする。フィンガー部２３１の傾斜面２４８は、後壁１７２の内面と同じ傾斜を有するので、両面間には十分な摩擦力が作用して、キーボード１１７を含むプラットホーム部材１０２が安定して支持されるようにする。
【００４４】
逆に、使用者が単純にプラットホーム部材１０２をこっそり持ち上げると、図７に示されたように、支持部材１０４が第２の旋回方向１８２に旋回して、フィンガー部２３１の傾斜面２４８が固定部材１０８の後壁１７２から分離される。すなわち、フィンガー部２３１の傾斜面２４８と後壁１７２の内面との間の接触が解除される。その結果、使用者は、プラットホーム部材１０２を、第１の垂直方向１９０、または、第１の垂直方向１９０の逆方向である第２の垂直方向１９２に移動させることができるようになる。所望の高さに移動させた後に、フィンガー部２３１間に後壁１７２のガイドレール２６３を挟んで、フィンガー部２３１の傾斜面２４８と後壁１７２の内面とを再び接触させると、プラットホーム部材１０２が、前記所望の高さに安定して支持されるようになる。
【００４５】
図８及び図９には、更に、本発明の他の一実施形態に係る調節式キーボードスタンド３００に採用される更に他の形態の傾斜部材２０６が示されている。本実施形態に係る調節式キーボードスタンド３００は、前述した実施形態に係る調節式キーボードスタンド２００と一部を除いてほぼ同様の構成を有し、以下では、その相違点についてのみ説明することにする。
【００４６】
本実施形態においては、図８及び図９に示されたように、傾斜部材２０６は、前述した実施形態における軸１４０及びバネ１４２の代わりに、軸２４０及びバネ２４２を含む。軸２４０は、プラットホーム部材１０２の後部１２８から下向きに延び、その一側面の下部に形成されたラック（ｒａｃｋ）２４０ａを有する。一方、ノブ１４４には、その中央部にノブ軸１４４ａが固定結合される。ノブ軸１４４ａには、ピニオン２４０ｂが一体に形成される。
【００４７】
前記ノブ軸１４４ａは、使用者の使い勝手に鑑みて、支持部材１０４を横方向に貫通したまま、左方向または右方向から挿通されるものであり、その挿入端部は、スナップリング（ｓｎａｐ  ｒｉｎｇ）１４４ｂ  により固定される。バネ２４２は、軸２４０の上部の回りを巻き取る形態で配置される。バネ２４２のその他の構成については、前述した実施形態と同様な構成を有する。
【００４８】
ノブ１４４のノブ軸１４４ａは、前記支持部材１０４の中央部１３０ｃを横方向に貫通延長してスナップリング１４４ｂにより支持される。ノブ１４４のピニオン２４０ｂは、軸２４０の一面のラック２４０ａに係合する。
【００４９】
傾斜部材２０６の作動に際しては、ノブ１４４を回転させるとき、ピニオン２４０ｂが軸２４０の一面のラック２４０ａに沿ってネジ送りするようになり、それにより、支持部材１０４が、上下に移動できるようになる。バネ２４２は、支持部材１０４に偏向力を作用させて、支持部材１０４の移動が安定して行われるようにし、移動中の振動や不安定を防止する。
【００５０】
以上のような本実施形態の構成を通じて、ノブ１４４がプラットホーム１０２から過度に下部に配置されることが防止され、したがって、キーボード装備１１７のその他の使用中に、使用者の脚などの下半身が、ノブ１４４にぶつかったり掛かったりする等、当たるという現象が防止できる。また、ノブ１４４が、支持部材１０４の一側に水平に配置されることで、使用者は、ノブ１４４の操作をより一層容易に行える。
【産業上の利用可能性】
【００５１】
好ましくても、本発明の改善されたキーボードスタンド１００は、動作１９０、１９２の垂直範囲に沿って連続的に調整できる。使用のために、適切な高さに前記改善されたキーボードスタンド１００を手軽く調整できるので、結果として、様々なキーボード装備と結合されたスタンド１００を用いる個人にもっと大きな満足と利便性を提供するようになる。また、本発明の前記改善されたキーボードスタンド１００は、剛性の固定部材または装着ブラケットなどを操作することなく、容易に直ちに垂直方向に調整できる。したがって、前述したような方法で、本発明の前記改善された調節式キーボードスタンド１００は、従来の装置に比較して、より一層容易に操作できる。また、本発明の前記改善された調節式キーボードスタンド１００では、バネ偏向された傾斜部材１０６を用いて、プラットホーム部材１０２の傾斜角１４６を調整することができ、これは、使用者のための満足と利便性をより一層増加させる。
【００５２】
以上では、本発明の基本的な新規の特徴のみが説明され、指摘されているが、その用途だけでなく、装置の詳細な形態において、様々な省略事項ら、代替物ら、及び変化らが、本発明の思想又は領域を逸脱することなく、当業者により容易に具現できることが分かるであろう。したがって、本発明の範囲は、前述した実施形態に限定されなく、添付の請求範囲のみによって限定されなければならない。
【図面の簡単な説明】
【００５３】
【図１】調節式キーボードスタンドの一実施形態を示した斜視図である。
【図２】図１の調節式キーボードスタンドの分離斜視図である。
【図３】図１及び図２の調節式キーボードスタンドの側面図である。
【図４】図１及び図２の調節式キーボードスタンドの側面図である。
【図５】本発明の他の一実施形態に係る調節式キーボードスタンドの斜視図である。
【図６】図５に示された調節式キーボードスタンドの作動状態を説明するための側面図である。
【図７】図５に示された調節式キーボードスタンドの作動状態を説明するための側面図である。
【図８】本発明の更に他の一実施形態に係る調節式キーボードスタンドの傾斜部材の構成を示す一部斜視図である。
【図９】本発明の更に他の一実施形態に係る調節式キーボードスタンドの傾斜部材の構成を示す一部側面図である。
【図１】
2006522402.tif 000003
【図２】
2006522402.tif 000004
【図３】
2006522402.tif 000005
【図４】
2006522402.tif 000006
【図５】
2006522402.tif 000007
【図６】
2006522402.tif 000008
【図７】
2006522402.tif 000009
【図８】
2006522402.tif 000010
【図９】
2006522402.tif 000011
【国際調査報告】
2006522402.tif 000012
2006522402.tif 000013